(57)【要約】【課題】簡易な操作で原稿データにデータを追加する。【解決手段】原稿データに基づいて印刷処理を実行する印刷部１と、封入封緘処理を実行する封入封緘部２とを備えた画像形成装置３に、原稿データを供給する情報処理装置５であって、原稿データを生成する原稿データ生成手段５１ａと、キーワードと、原稿データに追加する追加データと、追加データを追加する追加位置とを関連づけて追加データテーブルとして記憶するハードディスク５４と、原稿データからキーワードを検出するキーワード検出手段５１ｂと、キーワードが検出された場合、検出されたキーワードに対応する追加データテーブルに基づいて、追加位置に追加データを追加することにより新たな原稿データを生成する画像処理手段５１ｃと、を備える。【選択図】      図２
2018207354.tif 000002
【特許請求の範囲】
【請求項１】
封筒原稿データと内容物データとが通毎に連続して構成された原稿データに追加可能な追加データを、追加の要否を判定するためのキーワードと、前記通毎に前記追加データを追加する追加位置とに関連づけて追加データテーブルとして記憶する追加データテーブル記憶手段と、
前記原稿データから前記キーワードを検出するキーワード検出手段と、
前記キーワード検出手段によりキーワードが検出された場合、前記追加データテーブルに基づいて、前記原稿データに対して、前記通毎に前記検出されたキーワードに対応する前記追加位置に前記追加データを追加することにより新たな原稿データを生成する画像処理手段と、
を備えたことを特徴とする情報処理装置。
【請求項２】
前記画像処理手段は、
前記キーワード検出手段により検出されたキーワードに対応する追加位置が前記原稿データの前記通毎のページを示している場合、前記ページに該当する原稿データ上に前記追加データを重畳させることにより新たな原稿データを生成する
ことを特徴とする請求項１記載の情報処理装置。
【発明の詳細な説明】
【技術分野】
【０００１】
本発明は、簡易な操作で原稿データにデータを追加する情報処理装置に関する。
【背景技術】
【０００２】
一般的に、原稿データを生成する端末と、この端末にネットワークを介して接続され、端末から送信された原稿データに基づいて各種処理する画像形成装置とを備えた画像形成システムが良く知られている。
【０００３】
画像形成装置は、原稿データに基づいて画像を形成し印刷物（封筒および内容物）を排出する印刷部と、この印刷部から排出された印刷物に対し後処理である封入封緘処理を実行する封入封緘部とを備えている。
【０００４】
端末で生成される原稿データは、封筒に印刷するための封筒原稿データと内容物に印刷するための内容物データとが通毎に連続して構成されている。
【０００５】
そのため、原稿データを受信した画像形成装置は、原稿データを通毎に区切り、通毎に封入封緘処理を行う必要があった。
【０００６】
特許文献１には、帳票ページデータ中の共通の帳票用紙フォーム中の所定位置に、「お知らせ」の文字列があるか否かに基づいて、通単位の１又は複数の帳票ページデータのうち、先頭の帳票ページデータを判定する封入封緘システムに関する技術が開示されている。
【先行技術文献】
【特許文献】
【０００７】
【特許文献１】特開２０１３−１７４９６７号公報
【発明の概要】
【発明が解決しようとする課題】
【０００８】
しかしながら、特許文献１に記載の画像形成装置では、先頭の帳票ページデータを判定するが、例えば、帳票ページデータに追加したいデータがある場合、ユーザが画面を見ながら入力デバイスを操作することにより所望のデータを帳票ページデータに追加していた。
【０００９】
特に、追加したいデータが通毎に異なる場合、ユーザが通毎に追加したいデータを選択して追加したい位置に追加する操作を行う必要があり、作業が繁雑となる傾向がある。
【００１０】
本発明は、このような問題点に鑑みてなされたもので、簡易な操作で原稿データにデータを追加することができる情報処理装置を提供することを目的とする。
【課題を解決するための手段】
【００１１】
上記目的を達成するため、本発明の情報処理装置の特徴は、
封筒原稿データと内容物データとが通毎に連続して構成された原稿データに追加可能な追加データを、追加の要否を判定するためのキーワードと、前記通毎に前記追加データを追加する追加位置とに関連づけて追加データテーブルとして記憶する追加データテーブル記憶手段と、
前記原稿データから前記キーワードを検出するキーワード検出手段と、
前記キーワード検出手段によりキーワードが検出された場合、前記追加データテーブルに基づいて、前記原稿データに対して、前記通毎に前記検出されたキーワードに対応する前記追加位置に前記追加データを追加することにより新たな原稿データを生成する画像処理手段とを備えたことにある。
【発明の効果】
【００１２】
本発明の情報処理装置によれば、簡易な操作で原稿データにデータを追加することができる。
【図面の簡単な説明】
【００１３】
【図１】本発明に係る実施形態の画像形成システムの概略構成を示した図である。
【図２】本発明に係る実施形態の情報処理装置の構成を示すブロック図である。
【図３】本発明に係る実施形態の情報処理装置が備えるハードディスクに記憶された追加データテーブルの一例を示した図である。
【図４】原稿データのうちユーザ操作により指定された判別領域を説明した図である。
【図５】本発明に係る実施形態の情報処理装置５が備える画像処理手段の処理を説明した説明図である。（ａ）は、追加データが追加される前の原稿データの一例を示しており、（ｂ）は、追加データが追加された後の原稿データの一例を示している。
【図６】本発明に係る実施形態の情報処理装置の処理内容を示したフローチャートである。
【図７】本発明に係る実施形態の情報処理装置が備えるハードディスクに記憶された追加データテーブルの一例を示した図である。
【図８】追加データを原稿データに重畳させる場合における本発明に係る実施形態の情報処理装置が備える画像処理手段の処理を説明した説明図である。
【発明を実施するための形態】
【００１４】
以下、本発明に係る実施形態の画像形成システムについて、図面を参照して説明する。なお、以下に示す実施形態では、この発明の技術的思想を具体化するために例示したものであって、この発明の技術的思想は、各構成部品の配置等を下記のものに特定されるものではなく、種々の変更を加えることができる。
【００１５】
図１は、本発明に係る実施形態の画像形成システム１００の概略構成を示した図である。図１に示すように、画像形成システム１００は、画像形成装置３と、この画像形成装置３にネットワーク４を介して接続された情報処理装置５とを備えている。
【００１６】
画像形成装置３は、印刷処理を実行する印刷部１と、この印刷部１に接続され、封入封緘処理を実行する封入封緘部２とを備えており、原稿データに基づいて封筒を作成する。原稿データは、封筒に印刷するための１つの封筒原稿データと内容物に印刷するための１以上の内容物データとの組を１通として、この通が連続して複数通として構成されている。
【００１７】
印刷部１は、封筒及び内容物の印刷用紙に対し、情報処理装置５により生成された原稿データに基づいて印刷を行って排出する装置である。図１に示すように、各部を収納する筐体１０の内部又は側面等に、複数種類の用紙（内容物の印刷用紙や封筒用紙）を収納した複数の給紙トレイ（Ｐ１〜Ｐ３）と、複数の給紙トレイ（Ｐ１〜Ｐ３）から内容物の印刷用紙や封筒用紙を取り出す導入路１１と、導入路１１からの封筒および印刷用紙を搬送するループ状の搬送路１２とを有する。
【００１８】
また、印刷部１は、搬送路１２によって搬送された封筒および内容物の用紙に対し、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなる印刷実行部１３と、印刷済みの封筒や内容物を封入封緘部２へ排出する第１排出路１４と、印刷済みの用紙を封入封緘部２へ排出せず、印刷部１で排出する第２排出路１５と、搬送路１２を搬送されてきた印刷済みの用紙を受け入れた後に逆行させて搬送路１２に戻して用紙の上下を反転させるスイッチバック路１６と、この印刷部１および封入封緘部２の全体の各構成の動作を制御する制御部１７とを備える。
【００１９】
封入封緘部２は、印刷部１の第１排出路１４から送られた印刷済みの封筒および内容物を受け入れ、印刷済みの封筒用紙に内容物を折り畳んで封入して封緘する装置であり、印刷部１の第１排出路１４から斜め下方に延設される内容物を搬送する搬送経路２１と、封筒を搬送する搬送経路２２と、搬送経路２２に印刷済みの封筒を順次供給する封筒供給部２４と、搬送経路２１に印刷済みの内容物（封入物）を封筒に対して順次供給する内容物供給部２３とを備える。
【００２０】
また、封入封緘部２は、各搬送経路２１，２２を搬送された内容物（封入物）を二つ折り、三つ折り、又は四つ折りに折り畳み、搬送されてきた封筒に封入し、内容物（封入物）が封入された封筒を封緘する封緘部２５と、封緘された封筒（封書）が排出されて貯められる貯留部２６とを備える。なお、この封入封緘部２では、図示はしないが、以上の構成部材の他に、封筒用紙を接着する構成部材や、封緘された封書を貯留部２６へ搬送する搬送手段等を備える。
【００２１】
図２は、本発明に係る実施形態の情報処理装置５の構成を示すブロック図である。
【００２２】
図２に示すように、情報処理装置５は、封筒作成プログラムに基づいて各種処理を実行するＣＰＵ５１と、ＲＡＭ等のメモリ５２と、ＣＰＵ５１が動作するための封筒作成プログラムなどの各種プログラムが記憶されたＲＯＭ等のプログラム記憶部５３と、後述する追加データテーブルなどを記憶するハードディスク５４と、ネットワーク４を介して画像形成装置３と接続する外部インターフェイス５５と、キーボードやマウス等から構成される入力部５６と、液晶ディスプレイ等から構成される出力部５７とを備えている。
【００２３】
図３は、ハードディスク５４に記憶された追加データテーブルの一例を示した図である。
【００２４】
図３に示すように、追加データテーブルは、キーワードと、追加データと、追加位置とが関連付けられて記憶されている。
【００２５】
上述したように、原稿データは、通毎に封筒原稿データと内容物データとを含んでおり、印刷部１が、封筒原稿データに基づいて封筒用紙に宛先などを印刷する。
【００２６】
そのため、例えば、“東京”、“〒”、“様”など宛先に関連する文字が、封筒原稿データであることを示すキーワードとして設定されている。
【００２７】
追加データは、内容物データに追加したいデータのことである。例えば、“物件情報東京８月版．ｐｄｆ”のように、キーワードに関連するデータが追加データとして設定されている。
【００２８】
追加位置は、通毎に追加データを追加したい原稿データの位置を示している。例えば、追加位置が“最後”に設定されている場合、原稿データの通の最後に追加データが追加される。また、２ページ目と３ページ目の間に追加データを追加したい場合には、“２−３”というように設定される。
【００２９】
なお、追加データと追加位置とは、空白にすることも可能である。この場合、後述するように、キーワードに基づいて区切り位置は設定されるが、追加データが追加されない。
【００３０】
ＣＰＵ５１は、プロセッサやメモリその他の周辺装置によって構成される演算装置であり、プログラム記憶部５３に記憶された封筒作成プログラムを実行することによって、原稿データ生成手段５１ａ、キーワード検出手段５１ｂと、画像処理手段５１ｃとして機能する。
【００３１】
原稿データ生成手段５１ａは、封筒原稿データと内容物データとを含み、印刷部１による印刷処理を実行するための原稿データを生成する。
【００３２】
キーワード検出手段５１ｂは、原稿データのうち、ユーザ操作により指定された判別領域内に所定のキーワードがあるか否かを判定する。具体的には、キーワード検出手段５１ｂは、判別領域内に、ハードディスク５４に記憶された追加データテーブルのキーワードがあるか否かを判定する。
【００３３】
図４は、判別領域を説明した図である。
【００３４】
図４に示すように、原稿データは、Ｄ１，Ｄ２，・・・の複数ページを有している。原稿データＤ１，Ｄ２，・・・は、封筒原稿データまたは内容物データのいずれかである。
【００３５】
そして、入力部５６へのユーザ操作により判別領域が指定されると、キーワード検出手段５１ｂは、この指定された判別領域内に、ハードディスク５４に記憶された追加データテーブルのキーワードがあるか否かを判定する。
【００３６】
判別領域は、原稿データ内の全てのページに共通の領域としてユーザ指定される。図４に示した例では、１ページ目の原稿データＤ１には判別領域２０１が設定され、２ページ目の原稿データＤ２には判別領域２０２が設定されている。この判別領域２０１と判別領域２０２とは、レイアウト上同一の大きさおよび位置として設定されている。
【００３７】
判別領域２０１には、“〒３０５−０８１８  茨城県つくば市学園・・・  理想太郎様”という文字列が含まれている。そのため、キーワード検出手段５１ｂは、追加データテーブルのキーワードである“茨城県”、“〒”、“様”が含まれると判定する。
【００３８】
その一方、判別領域２０２には、追加データテーブルのキーワードが含まれていないと判定する。
【００３９】
画像処理手段５１ｃは、キーワード検出手段５１ｂによりキーワードが検出された場合、追加データテーブルに基づいて、通毎に原稿データに対して検出されたキーワードに対応する追加位置に追加データを追加することにより新たな原稿データとして追加原稿データを生成する。
【００４０】
図５は、本発明に係る実施形態の情報処理装置５が備える画像処理手段５１ｃの処理を説明した説明図である。（ａ）は、追加データが追加される前の原稿データの一例を示しており、（ｂ）は、追加データが追加された後の原稿データの一例を示している。ここでは、原稿データＤ１〜Ｄ６の全６ページの原稿データを例に挙げて説明する。
【００４１】
図５（ａ）に示した例では、キーワード検出手段５１ｂによって原稿データＤ１，Ｄ３，Ｄ５に、キーワードが含まれていると判定される。
【００４２】
そこで、画像処理手段５１ｃは、キーワード検出手段５１ｂの判定結果に基づいて、原稿データの区切りを設定することにより、通ごとに仕分けする。
【００４３】
例えば、キーワードが含まれていると判定された原稿データＤ３，Ｄ５の手前の位置を区切り位置１０１，１０３として設定すると共に、原稿データの末尾を区切り位置１０５として設定する。なお、原稿データＤ１は先頭の原稿データであるので、原稿データＤ１の手前は区切りとして設定しない。
【００４４】
このようにして、区切り位置１０１，１０３，１０５が設定されることにより、原稿データは、１通目から３通目に仕分けされる。
【００４５】
なお、画像処理手段５１ｃは、キーワードが含まれていると判定された原稿データＤ１，Ｄ３，Ｄ５を封筒原稿データとして認識し、キーワードが含まれていないと判定された原稿データＤ２，Ｄ４，Ｄ６を内容物データとして認識する。
【００４６】
次に、画像処理手段５１ｃは、追加データテーブルに基づいて、通毎に原稿データに対して、キーワード検出手段５１ｂにより検出されたキーワードに対応する追加位置に追加データを追加することにより新たな原稿データとして追加原稿データを生成する。
【００４７】
図５（ｂ）に示すように、例えば、２通目に含まれる原稿データＤ３には、キーワードである“茨城”、“〒”、“様”が含まれているので、画像処理手段５１ｃは、追加データテーブルから、“茨城”、“〒”、“様”のキーワードに対応する追加データである“物件情報茨城８月版．ｐｄｆ”を抽出する。
【００４８】
また、 “茨城”、“〒”、“様”のキーワードに対応する追加位置は、“最後”であるので、画像処理手段５１ｃは、抽出した“物件情報茨城８月版．ｐｄｆ”を追加データＡ２として、２通目の最後の位置に追加する。
【００４９】
このようにして、画像処理手段５１ｃは、キーワード検出手段５１ｂによりキーワードが検出された場合、追加データテーブルに基づいて、通毎に原稿データに対して検出されたキーワードに対応する追加位置に追加データを追加することにより新たな原稿データとして追加原稿データを生成する。
【００５０】
そして、ＣＰＵ５１は、生成された追加原稿データを含む封筒作成ジョブとして外部インターフェイス５５及びネットワーク４を介して画像形成装置３へ送信する。画像形成装置３は、受信した封筒作成ジョブに基づいて印刷処理および封入封緘処理を実行することにより封筒を作成する。
【００５１】
次に、本発明に係る実施形態の情報処理装置５の作用について説明する。
【００５２】
図６は、本発明に係る実施形態の情報処理装置５の処理内容を示したフローチャートである。
【００５３】
図６に示すように、ユーザ操作により、封筒作成プログラムが起動され、封筒作成が指示されると（ステップＳ１０１；ＹＥＳ）、キーワード検出手段５１ｂは、ユーザ操作により、判定領域が指示されたか否かを判定する（ステップＳ１０３）。
【００５４】
判定領域が指示された場合（ステップＳ１０３；ＹＥＳ）、キーワード検出手段５１ｂは、原稿データのうち、ユーザ操作により指定された判別領域内にキーワードがあるか否かを判定する（ステップＳ１０５）。
【００５５】
判別領域内にキーワードを含む原稿データがあると判定された場合（ステップＳ１０５；ＹＥＳ）、キーワード検出手段５１ｂは、この判定結果に基づいて区切り位置を設定する（ステップＳ１０７）。判別領域内にキーワードを含む原稿データがないと判定された場合（ステップＳ１０５；ＮＯ）、処理をステップＳ１０９へ移行させる。
【００５６】
次に、全ての原稿データについて判別したかを判定する（ステップＳ１０９）。全ての原稿データについて判別していない場合（ステップＳ１０９；ＮＯ）、処理をステップＳ１０５へ移行する。これにより、全ての原稿データのそれぞれにキーワードが含まれるか否かを判定できるので、適切に区切り位置を指定することができる。
【００５７】
全ての原稿データについて判別した場合（ステップＳ１０９；ＹＥＳ）、画像処理手段５１ｃは、追加データテーブルに基づいて、全ての原稿データについてステップＳ１０５において検出されたキーワードに対応する追加データがあるか否かを判定する（ステップＳ１１０）。
【００５８】
全ての原稿データについてキーワードに対応する追加データがないと判定された場合（ステップＳ１１０；ＮＯ）、原稿データに追加データを追加する必要がないので、ステップＳ１１１およびＳ１１３の処理をバイパスして終了する。この場合、追加データが追加されることなく区切り位置のみが設定される。
【００５９】
キーワードに対応する追加データがあると判定された場合（ステップＳ１１０；ＹＥＳ）、画像処理手段５１ｃは、キーワード検出手段５１ｂにより検出されたキーワードに対応する追加データテーブルから、追加データと追加位置を抽出する（ステップＳ１１１）。このとき、追加データテーブルに、キーワードに対する追加データと追加位置とが設定されていない場合、つまり空白として設定されている場合、そのキーワードを含む原稿データには、追加データは追加されない。
【００６０】
そして、画像処理手段５１ｃは、原稿データの通毎に追加位置に追加データを追加することにより新たな原稿データとして追加原稿データを生成する（ステップＳ１１３）。
【００６１】
以上のように、本発明に係る実施形態の情報処理装置５では、キーワード検出手段５１ｂが、原稿データのうち、ユーザ操作により指定された判別領域内にキーワードがあるか否かを判定し、画像処理手段５１ｃが、キーワード検出手段５１ｂによりキーワードが検出された場合、追加データテーブルに基づいて、通毎に原稿データに対して検出されたキーワードに対応する追加位置に追加データを追加することにより新たな原稿データとして追加原稿データを生成する。
【００６２】
そのため、原稿データに追加したいデータがある場合、わざわざユーザが画面を見ながら所望のデータを追加したい位置に追加する操作を行うことなく、自動的に適切なデータを適切な位置に追加させることができる。これにより、簡易な操作で原稿データに追加データを追加することができる。
【００６３】
＜変形例＞
図５に示した例では、追加データＡ１〜Ａ３は、いずれも追加位置が“最後”として設定されているので、通毎に最後のページとして追加されたが、これに限らない。
【００６４】
変形例である情報処理装置５では、追加データを原稿データ自体に重畳させる。
【００６５】
図７は、ハードディスク５４に記憶された追加データテーブルの一例を示した図である。
【００６６】
図７に示す追加データテーブルは、図４に示した追加データテーブルと同様に、キーワードと、追加データと、追加位置とが関連付けられて記憶されている。ここで、追加データは、例えば、バーコードやＱＲコード（登録商標）など、数字、文字、記号などが一定の規則に従って画像化された識別画像である。
【００６７】
図７に示すように、例えば、キーワードが“東京”、“〒”、“様”である場合、追加位置“２”には、“物件情報東京８月版．ｐｄｆ”を閲覧可能なＵＲＬが画像化されたＱＲコード（登録商標）である追加データ“物件情報東京８月版コード.jpg”が関連づけて設定されている。また、同様に、追加位置“１”には、キーワードの一部または全部（ここでは“東京”）が画像化されたバーコードである追加データ“東京コード.jpg”が関連づけて設定されている。ここで、追加位置が、“１”や“２”など一つの数字が設定されている場合、原稿データの通内のページを示している。
【００６８】
図８は、追加データを原稿データに重畳させる場合における画像処理手段５１ｃの処理を説明した説明図である。
【００６９】
図８に示した例では、キーワード検出手段５１ｂによって原稿データＤ１，Ｄ３，Ｄ５に、キーワードが含まれていると判定される。
【００７０】
そこで、画像処理手段５１ｃは、キーワード検出手段５１ｂの判定結果に基づいて、原稿データの区切り位置１０１，１０３，１０５を設定することにより、通ごとに仕分けする。
【００７１】
また、画像処理手段５１ｃは、キーワードが含まれていると判定された原稿データＤ１，Ｄ３，Ｄ５を封筒原稿データとして認識し、キーワードが含まれていないと判定された原稿データＤ２，Ｄ４，Ｄ６を内容物データとして認識する。
【００７２】
次に、画像処理手段５１ｃは、キーワード検出手段５１ｂによりキーワードが検出され、検出されたキーワードに対応する追加位置が原稿データの通毎のページを示している場合、該当するページの原稿データ上に識別画像を重畳させることにより新たな原稿データとして追加原稿データを生成する。
【００７３】
図８に示すように、例えば、１通目に含まれる原稿データＤ１には、キーワードである“東京”、“〒”、“様”が含まれているので、画像処理手段５１ｃは、追加データテーブルから、“東京”、“〒”、“様”のキーワードに対応する追加位置と、追加データとを抽出する。ここでは、画像処理手段５１ｃは、追加位置“２”および追加データ“物件情報東京８月版コード.jpg”と、追加位置“１”および追加データ“東京コード.jpg”とを抽出する。
【００７４】
そして、画像処理手段５１ｃは、１通目の１ページ目である原稿データＤ１（封筒原稿データ）に、追加データ“東京コード.jpg”を識別画像Ｂ１として重畳させる。また、画像処理手段５１ｃは、１通目の２ページ目である原稿データＤ２（内容物データ）に、追加データ“物件情報東京８月版コード.jpg”を識別画像Ｃ１として重畳させる。
【００７５】
同様に、３通目に含まれる原稿データＤ５には、キーワードである“東京”、“〒”、“様”が含まれているので、画像処理手段５１ｃは、３通目の１ページ目である原稿データＤ５（封筒原稿データ）に、追加データ“東京コード.jpg”を識別画像Ｂ１として重畳させ、３通目の２ページ目である原稿データＤ６（内容物データ）に、追加データ“物件情報東京８月版コード.jpg”を識別画像Ｃ１として重畳させる。
【００７６】
また、図７に示すように、キーワードが“茨城”、“〒”、“様”に対して、追加位置“２”、追加データ“物件情報茨城８月版コード.jpg”が関連づけて設定されており、さらに、追加位置“１”、追加データ“茨城コード.jpg”が関連づけて設定されている。
【００７７】
そして、図８に示す２通目に含まれる原稿データＤ３には、キーワードである“茨城”、“〒”、“様”が含まれている。そのため、画像処理手段５１ｃは、２通目の１ページ目である原稿データＤ３（封筒原稿データ）に、追加データ“茨城コード.jpg”を識別画像Ｂ２として重畳させ、２通目の２ページ目である原稿データＤ４（内容物データ）に、追加データ“物件情報茨城８月版コード.jpg”を識別画像Ｃ２として重畳させる。
【００７８】
以上のように、変形例では、画像処理手段５１ｃが、キーワード検出手段５１ｂによりキーワードが検出され、検出されたキーワードに対応する追加位置が原稿データの通毎のページを示している場合、該当ページの原稿データ上に追加データを重畳させることにより新たな原稿データとして追加原稿データを生成する。
【００７９】
そのため、封筒の内包する内容物の用紙数を増やしたくない場合、追加する内容物用紙の代替として識別画像を重畳させることができる。
【００８０】
また、キーワードの一部または全部として、例えば“東京”など地域を示す文字が画像化されて封筒原稿データに重畳された場合、印刷された識別画像を認識することによって、作成された封筒を郵送先毎に仕分けすることができるので、封筒の仕分け作業を簡素化することができる。
【００８１】
なお、変形例では、追加データは、例えば、バーコードやＱＲコード（登録商標）など、数字、文字、記号などが一定の規則に従って画像化された識別画像を用いたが、これに限らず、数字、文字、記号を直接、原稿画像に重畳するようにしてもよい。
【００８２】
また、本発明に係る実施形態では、画像形成装置３と、この画像形成装置３とネットワーク４を介して接続された情報処理装置５とを備えた画像形成システム１００を例に挙げて説明したが、これに限らず、情報処理装置５は、画像形成装置３内に組み込まれていても良い。
【００８３】
（付記）
本出願は、以下の発明を開示する。
【００８４】
（付記１）
封筒原稿データと内容物データとが通毎に連続して構成された原稿データに追加可能な追加データを、追加の要否を判定するためのキーワードと、前記通毎に前記追加データを追加する追加位置とに関連づけて追加データテーブルとして記憶する追加データテーブル記憶手段と、
前記原稿データから前記キーワードを検出するキーワード検出手段と、
前記キーワード検出手段によりキーワードが検出された場合、前記追加データテーブルに基づいて、前記原稿データに対して、前記通毎に前記検出されたキーワードに対応する前記追加位置に前記追加データを追加することにより新たな原稿データを生成する画像処理手段と、
を備えたことを特徴とする情報処理装置。
【００８５】
（付記２）
前記画像処理手段は、
前記キーワード検出手段により検出されたキーワードに対応する追加位置が前記原稿データの前記通毎のページを示している場合、前記ページに該当する原稿データ上に前記追加データを重畳させることにより新たな原稿データを生成する
ことを特徴とする（付記１）記載の情報処理装置。
【符号の説明】
【００８６】
１  印刷部
２  封入封緘部
３  画像形成装置
４  ネットワーク
５  情報処理装置
５１  ＣＰＵ
５１ａ  原稿データ生成手段
５１ｂ  キーワード検出手段
５１ｃ  画像処理手段
５２  メモリ
５３  プログラム記憶部
５４  ハードディスク
５５  外部インターフェイス
５６  入力部
５７  出力部
１００  画像形成システム
【図１】
2018207354.tif 000003
【図２】
2018207354.tif 000004
【図３】
2018207354.tif 000005
【図４】
2018207354.tif 000006
【図５】
2018207354.tif 000007
【図６】
2018207354.tif 000008
【図７】
2018207354.tif 000009
【図８】
2018207354.tif 000010